(57)【要約】【課題】陳列杆に前の商品が残ったままで、その後側へ追加商品を補充することができるため作業性がよくなる商品陳列フックを提供すること。【解決手段】支持部材から前方へ陳列杆を張り出させ、この陳列杆へ商品を吊って陳列する商品陳列フックにおいて、上記陳列杆２を上側に商品３の補充杆４が折返し部５で連設されるように形成して、上記折返し部５を支持部材１の係止体６へ離脱可能に支持させ、折返し部５を係止体６より外すと、陳列杆１への追加商品３の補充が補充杆４と折返し部５を経て前の商品３の後側へ行われるようにした。【選択図】図１
2007151909.tif 000002
【特許請求の範囲】
【請求項１】
支持部材から前方へ陳列杆を張り出させ、この陳列杆へ商品を吊って陳列する商品陳列フックにおいて、
上記陳列杆を上側に商品の補充杆が折返し部で連設されるように形成して、上記折返し部を支持部材の係止体に離脱可能に支持させ、
折返し部を係止体より外すと、陳列杆への追加商品の補充が補充杆と折返し部を経て前の商品の後側へ行われるようにした
ことを特徴とする陳列杆へ後側から商品を補充できる商品陳列フック。
【請求項２】
商品の陳列杆へ補充杆を連設する折返し部が商品を移動させ易いように角丸または彎曲面等に形成させている
ことを特徴とする請求項１に記載の陳列杆へ後側から商品を補充できる商品陳列フック。
【請求項３】
上記折返し部の支持部材に商品の補充杆を支持して、陳列杆を安定させる筒状のガイドが設けられている
ことを特徴とする請求項１及び請求項２に記載の陳列杆へ後側から商品を補充できる商品陳列フック。
【発明の詳細な説明】
【技術分野】
【０００１】
本発明は、陳列杆へ後側から商品を補充できる商品陳列フックに関する。
【背景技術】
【０００２】
従来、商品陳列フックにおいて、商品の陳列杆に弾性で縮ませるようにした伸縮部材を通し、この伸縮部材の前端をプライスカードを取り付けた水平杆へ連結して置くことで、前の陳列商品が売れると水平杆を引いて伸縮部材を引き伸ばすことで後の商品を前へ出す技術は知られている。（例えば特許文献１）
【０００３】
しかしながら、上記商品陳列フックは、陳列商品が減ったとき前の商品の後へ追加する商品を補充するためには、残った商品を陳列杆より外し、追加する商品を先きに陳列杆に掛けて、その後で外した商品を掛けなければならないため、作業性が非常に悪いという問題点があった。
【特許文献１】特開平１１−９９０４１号（第２頁、第３頁及び図４）
【発明の開示】
【発明が解決しようとする課題】
【０００４】
本発明は前記問題点を解消し、陳列杆に前の商品が残ったままで、その後側へ追加商品を補充することができるため作業性がよくなる商品陳列フックを提供することをその課題とする。
【課題を解決するための手段】
【０００５】
前記課題を解決するため本発明に係る陳列杆へ後側から商品を補充できる商品陳列フックは、下記の構成を採用することを特徴とする。
【０００６】
請求項１に係る発明は、支持部材から前方へ陳列杆を張り出させ、この陳列杆へ商品を吊って陳列する商品陳列フックにおいて、上記陳列杆を上側に商品の補充杆が折返し部で連設されるように形成して、上記折返し部を支持部材の係止体に離脱可能に支持させ、折返し部を係止体より外すと、陳列杆への追加商品の補充が補充杆と折返し部を経て前の商品の後側へ行われるようにしたこと。
【０００７】
請求項２に係る発明は、商品の陳列杆へ補充杆を連設する折返し部が商品を移動させ易いように角丸または彎曲面等に形成させていること。
【０００８】
請求項３に係る発明は、上記折返し部の支持部材に商品の補充杆を支持して、陳列杆を安定させる筒状のガイドが設けられていること。
【発明の効果】
【０００９】
請求項１に係る発明の効果  係止体から折返し部を外せば、陳列杆に商品を残したままでその後側へ追加商品を補充する商品の後入れが容易にできるため、商品補充の作業性を著しく向上させることができる。
【００１０】
請求項２に係る発明の効果  補充杆及び陳列杆へ孔を通して掛ける商品も、折返し部を角丸や彎曲面にしてあれば、引っ掛かりを生ずることなく折返し部を速やかに移動して作業を遅滞させることがない。
【００１１】
請求項３に係る発明の効果  支持部材に設けたガイドに商品の補充杆を支持させれば、離脱可能な支持によって不安定となり易い陳列杆が安定して、横振れや商品荷重による先垂れ等を生ずることがない。
【発明を実施するための最良の形態】
【００１２】
以下に本発明に係る陳列杆へ後側から商品を補充できる商品陳列フックの実施形態を図面について説明する。
【００１３】
図１、図２において符号Ａは、陳列杆へ後側から商品を補充できる商品陳列フックを示す。この商品陳列フックＡは、支持部材１から前方へ商品の陳列杆２を張り出させ、この陳列杆２へ商品３を吊って陳列するものであって、この装置Ａに用いる陳列杆２は、円断面の材料によって基部よりも先側が僅かに上がる傾斜を有して、先端に上側への折り曲げ部２ａを有するようにすることが好ましい。また、この陳列杆２はその上側に商品の補充杆４が折返し部５によって連設されるようにする。そして、上記折返し部５を支持部材１に設けた係止体６へ離脱可能に支持させることで、陳列杆２の折返し部５を係止体６より外すと、追加商品の補充が補充杆４と折返し部５を経て陳列杆２に残っている商品の後側から行われるようにする。
【００１４】
上記商品の陳列杆２に補充杆４を連接する折返し部５は、角張った形状にするとこの角部に商品３を移動するとき、商品３の吊り孔７がつかえて移動を妨げ易いので、角張る形状の折返し部５の場合は、角部になるべく大きなアールを付けるようにするか、折返し部５を彎曲状に形成する。
【００１５】
上記支持部材１は、図１に示す通り下向きのコ字形に形成して、壁や陳列棚等（図面省略）へ取り付けた横架材８へ掛け外しすることで、商品陳列フックＡの取り付け、取り外しが簡単にできるようにしてあり、この支持部材１には、陳列杆２の折返し部５を離脱可能に支持する係止体６が取り付けられる。
【００１６】
上記係止体６は、金属または合成樹脂のばね材９で図３に示す通り先つぼまりの傾斜部
ａの先に半円部ｂを、半円部ｂの先に先開きの案内部ｃを形成して、案内部ｃへ折返し部
５が押し付けられると開き、折返し部５を受け入れた後に弾力で閉じて、折返し部５を挟み付けることで支持するが、折返し部５をばね材９の弾力以上の力で引くと開いて折返し部４を離すようにするか、または、図４に示す通り支持部材１へ磁石１０を取り付けて、この磁石１０へ折返し部５が押し付けられると磁力で吸着保持し、折返し部５を磁石１０の磁力以上の力で引くと折返し部５を離れさせるようにするものであって、この係止体６は上記ばね材９や磁石１０に限定されるものではなく、同様の着脱機能が得られるものであれば、他のものを代替使用できることは勿論である。
【００１７】
図１、図５において符号１１は、支持部材１に固定して商品の補充杆４を係合させる筒状のガイドであり、このガイド１１は下側に折返し部５が通るための切割１２を全長に亘り形成してあって、この切割１２の縁部１２ａを折返し部５に図５、図６に示す通り形成した水平の溝１３へ係合させることで、折返し部５を係止体６に離脱可能に支持させた不安定な状態であっても、補充杆４と筒状のガイド１１との係合によって陳列杆２は横振れや商品の荷重による先垂れ等を防止されて安定している。
【００１８】
上記構成の陳列杆へ後側から商品を補充できる商品陳列フックＡは、商品の陳列杆２へ図１に示す通りに商品３を吊って、補充杆４を筒状のガイド１１に案内させて陳列杆２の折返し部５を係止体６へ向かって進めれば、折返し部５が係止体６へ押し付けられると、係止体６が弾力または磁力によって折返し部５を支持して陳列杆２を安定させ、商品３を顧客が品定めし易いように陳列する。
【００１９】
しかし、陳列杆２に支持させた商品３が減ってその補充を行うときは、陳列杆２を持って引っ張り、折返し部５へ係止体６の弾力または磁力より大きい力を加えると、折返し部５が係止体６から離れるので、陳列杆２と補充杆４を図６に示す通り取り外し、補充杆４へその端末から商品３の吊り孔７を通して、商品３を折返し部５へ向かって移動させ、折返し部５に達したらここを移動させることで方向変換して陳列杆２へ移し、陳列杆２を進めて残っている前の商品３の後側へ補充すれば、陳列杆２に前の商品３を置いたままで追加する商品３の後入れができる。
【産業上の利用可能性】
【００２０】
本発明は、量販店などで商品陳列フックの陳列杆から前の商品を外すことなく、その後側へ追加する商品を後入れすることができるようになる。
【図面の簡単な説明】
【００２１】
【図１】本発明に係る陳列杆へ後側から商品を補充できる商品陳列フックの側面図。
【図２】同上の底面図。
【図３】同上に用いたばね材の係止体を示す拡大底面図。
【図４】同上に用いた磁石の係止体を示す拡大底面図。
【図５】商品の補充杆と筒状のガイドとの関係を示す断面図。
【図６】陳列杆に対する商品の後入れ状態を示す説明図。
【符号の説明】
【００２２】
Ａ  商品の陳列フック
１  支持部材
２  陳列杆
３  商品
４  補充杆
５  折返し部
６  係止体
【図１】
2007151909.tif 000003
【図２】
2007151909.tif 000004
【図３】
2007151909.tif 000005
【図４】
2007151909.tif 000006
【図５】
2007151909.tif 000007
【図６】
2007151909.tif 000008